(57)【要約】【課題】コードが効果的に箱本体内に巻き取り収納され、充電器の使用、収蔵、包装の便利性を高める固定端を具えたコードの収納、引き出しが可能な充電器を提供する。【解決手段】内部装置として回路板を具えた箱本体１０、該箱本体の外壁面には電源プラグ１４を突出設置し、導入孔２２を具えた外ケース２０は該箱本体上に結合する。該箱本体の内壁面にはそれぞれ固定軸３０を突出設置し、大きめの輪面直径を具えた大回転輪４０は、側辺に直径が小さめである小回転輪を一体に連結する。該大、小回転輪の中心孔４２は該固定軸に嵌合し、これにより、該大、小回転輪の輪面上には、それぞれ大、小収納溝を形成し、該大回転輪の輪面側辺において係合固定凹溝４６を設置する。コードの一端は該内壁面に設置する穿孔中を挿通して引き出され、さらに回路板に接続する。該コードは大、小収納溝中に巻付き収納される。【選択図】図１
0003097465.tif 000002
【実用新案登録請求の範囲】
【請求項１】
主に内部装置として回路板を具えた箱本体、該箱本体の外壁面には電源プラグを突出して設置し、
コード導入孔を具えた外ケースを該箱本体上に結合し、
該箱本体の内壁面にはそれぞれ固定軸及び穿孔を設置し、
大きめの輪面直径を具えた大回転輪は、その側辺に直径が小さめである小回転輪を一体に連結し、該大、小回転輪は共に同一中心孔を具え、該中心孔を該固定軸に嵌合して、これにより、該大、小回転輪は該固定軸を中心としてバネによる巻き取り回転を行い、該大、小回転輪の輪面上には、それぞれ大、小収納溝を形成し、該大回転輪の輪面側辺において係合固定凹溝を設置し、
コードの一端は該内壁面に設置する穿孔中に挿通し、さらに回路板に接続し、反対端は端子プラグで、該コードは大、小収納溝中に巻付き収納され、該コードの適当な長さの部分は該係合固定凹溝に係入し、こうして、内、外線を形成することを特徴とする固定端を具えたコードの収納、引き出しが可能な充電器。
【請求項２】
前記バネは前記大回転輪の側凹部中に係合接続し、該バネの内端は前記固定軸の係合溝に係合接続し、該バネの外端は該側凹部の内壁に設置する係合溝中に係合接続することを特徴とする請求項１記載の固定端を具えたコードの収納、引き出しが可能な充電器。
【請求項３】
前記箱本体の外壁面に設置する穿孔において、滑り止めカバーを接続し、前記内線は該滑り止めカバーのカバー中において固定されることを特徴とする請求項１記載の固定端を具えたコードの収納、引き出しが可能な充電器。
【請求項４】
前記構造において中心孔及び挿入ピンを具える環状片を設け、該環状片は該中心孔により前記固定軸中に嵌合し、該挿入ピンは前記大回転輪の外壁面に設置する挿入孔中に挿入して結合し、該環状片は前記大回転輪の外壁面上に結合することを特徴とする請求項１記載の固定端を具えたコードの収納、引き出しが可能な充電器。
【請求項５】
前記構造において外ケースは中央に可動接続孔を設置し、ネジは該可動接続孔及び前記固定軸前端に設置するネジ孔中にねじ止することを特徴とする請求項１記載の固定端を具えたコードの収納、引き出しが可能な充電器。
【請求項６】
前記固定軸の末端は縦方向に前記外壁面に延長されて前記外壁面と一体に結合し、また、前記内壁面は環状とすることができ、その外周縁は前記箱本体の側壁面と連接しないことを特徴とする請求項１記載の固定端を具えたコードの収納、引き出しが可能な充電器。
【考案の詳細な説明】
【０００１】
【考案の属する技術分野】
本考案は一種の固定端を具えたコードの収納、引き出しが可能な充電器に関する。特に一種の内部に同軸で直径の大きさが異なる２個の回転輪を具え、該大、小回転輪の回転によりコードを効果的に箱本体内に収納することができる固定端を具えたコードの収納、引き出しが可能な充電器に係る。
【０００２】
【従来の技術】
一般の電器製品用充電器においては、コードを充電器のケース内部に収納することはできない。そのため、使用時、収蔵時、包装時の不便となっている。
充電器のコード収納装置には携帯電話端末用充電器等があるが、該構造のコード収納構造は、ベース部分を手動で回転させることにより、コードリールの回転を連動し、コードを巻き取るものである。
しかし、該公知構造はコードの収納時に、手動によりベースを回転させなければならないため、非常に不便である。
一方、本考案者取得の実用新案である「固定端を具えたコードの収納、引き出しが可能な充電器」では同一軸及び外周の異なる回転輪を利用し、大回転輪中に収納するコードが引出された時、小回転輪の収納部中に位置する下線はごく短い距離だけ下降するものである。該構造は非常に実用的ではあるが、イヤホーンの収納に使用が限定されている。
【０００３】
【考案が解決しようとする課題】
上記公知構造の欠点を解決するため、本考案は固定端を具えたコードの収納、引き出しが可能な充電器の提供を課題とする。
それは、コードを効果的に箱本体内に収納し、充電器の使用、収蔵、包装の便利性を高めることができる。
さらにそれは、コードの引出し（引き出し）或いは巻き取り（収納）の過程において、コード下端の導電接点が移動脱落する恐れがない。
【０００４】
【課題を解決するための手段】
上記課題を解決するため、本考案は下記の固定端を具えたコードの収納、引き出しが可能な充電器を提供する。
それは主に内部装置として回路板を具えた箱本体を含む。
該箱本体の外壁面には電源プラグを穿出、設置し、導入孔を具えた外ケースは該箱本体上に結合する。該箱本体の内壁面にはそれぞれ固定軸を突出設置し、大きめの輪面直径を具えた大回転輪は、側辺に直径が小さめである小回転輪を一体に連結する。該大、小回転輪の中心孔は該固定軸に嵌接し、これにより、該大、小回転輪の輪面上には、それぞれ大、小収納溝を形成し、該大回転輪の輪面側辺において係合固定凹溝を設置する。コードの一端は該内壁面に設置する穿孔中に穿入し、さらに回路板に接続する。該コードは大、小収納溝中に巻付き収納される。
【０００５】
【考案の実施の形態】
図１、２が示すように、本考案は内部装置として回路板１２を具えた箱本体１０、該箱本体１０の外壁面１１には電源プラグ１４を突出させて設置する。
導入孔２２を具えた外ケース２０は該箱本体１０上に結合する。
該箱本体１０の内壁面１６にはそれぞれ固定軸３０及び穿孔１６１を突出設置する。
大きめの輪面直径Ｄを具えた大回転輪４０は、側辺に直径ｄが小さめの小回転輪４５を一体に連結する。該大、小回転輪４０、４５は共に同一中心孔４２を具え、該中心孔４２は該固定軸３０に嵌合する。これにより、該大、小回転輪４０、４５は該固定軸３０を中心とし弾力回転を行う。該大、小回転輪４０、４５の輪面上には、それぞれ大、小収納溝４１、４３を形成し、該大回転輪４０の
輪面側辺において係合固定凹溝４６を設置する。
コード５０の一端は該内壁面１６に設置する穿孔１６１中に挿通し、さらに回路板１２に接続する。反対端は端子プラグ５５である。該コード５０は大、小収納溝４１、４３中に巻付き収納され、該コード５０の適当な長さの部分は該係合固定凹溝４６に係入する。こうして、内、外線５４、５２を形成する。
【０００６】
バネ６０は該大回転輪４０の側凹部４７中に係合接続し、該バネ６０の内端６２は該固定軸３０の係合溝３２に係合接続する。該バネ６０の外端６４は該側凹部４７の内壁に設置する係合溝４７１中に係合接続する。
該箱本体１０の外壁面１６に設置する穿孔１６１において、滑り止めカバー１６２を接続し、該内線５４は該滑り止めカバー１６２のカバー中において固定される（図２参照）。
環状片７０は中心孔７２及び挿入ピン７４を具え、該環状片７０は該中心孔７２により該固定軸３０中に嵌合し、該挿入ピン７４は該大回転輪４０外壁面に設置する挿入孔４４中に挿入して結合する。該環状片７０は該大回転輪４０の外壁面上に結合する。
外ケース２０は中央に可動接続孔２４を設置し、ネジ２６は該可動接続孔２４及び該固定軸３０前端に設置するネジ孔３３中に螺子止めする。
該固定軸３０の末端は縦方向に外壁面１１に延長して該外壁面１１と一体に連結する。また、該内壁面１６は環状とすることができ、その外周縁は該箱本体１０の側壁面と連接しない（図５、６参照）。
【０００７】
図１、２が示すように、該コード５０は該大収納溝４１中において外線５２と定義され、該小収納溝４３中において内線５４と定義される。該内、外線５４、５２は該係合固定凹溝４６部位により一定の区分をする。即ち、該コード５０の一つ目の固定端は該係合固定凹溝４６位置に形成する。該滑り止めカバー１６２は該内線５４を該内壁面１６上に固定し、二つ目の固定端を形成する。
人手が該端子プラグ５５を外へと引くと、該外線５２は該導入孔２２より引出され、該大、小回転輪４０、４５は該固定軸３０を軸芯とし回転する。該大回転輪４０が一回転する時、該大収納溝４１中から引き出される（或いは収納される）外線５２の長さはπ×Ｄ（Ｄは大回転輪４０の直径）である。同様に、該小回転輪４５が一回転する時、該小収納溝４３中から引き出される（或いは収納される）内線５４の長さはπ×ｄ（ｄは小回転輪４５の直径）である。
そのため、該大、小回転輪４０、４５が同軸回転を行う時、両者の内、外線５４、５２は引き出される（或いは収納される）長さの比率は、該大、小回転輪４０、４５の直径に比例する（即ちＤ：ｄ）。
【０００８】
本考案の実施例では、該大、小回転輪４０、４５の直径を１０：１と仮定する。この時、該外線５２が１００ｃｍ引出されると、該内線５４は１０ｃｍ引出される。該滑り止めカバー１６２は該内線５４を固定し固定端を形成するため、該内線５４は該小収納溝４３中において引出されると、該小収納溝４３の空間中において緩んだ状態を呈し、該箱本体１０内部の内線５４は全く移動しない。
図６が示すように、該大、小回転輪４０、４５の直径比（Ｄ：ｄ）が大きくなればなるほど（即ち、小回転輪４５の直径が小さくなればなるほど）、該小収納溝４３から引き出される内線５４の長さは短くなる。つまり、該内線５４の該小収納溝４３における緩んだ状態も小さくなり、コードの絡まり等の状況は絶対に生じない。該外線５２が極限まで完全に引出されても、該係合固定凹溝４６はコードを挟み定位しているため、該内線５４は該外線５２に従い引出され、或いは移動することはない。
【０００９】
次に図２が示すように、該箱本体１０内部の内線５４’において、その端部の導電金属線は溶接或いは端子を相互に挿接する方式で、該回路板１２と接続することができる。こうして導電接点を形成し、この時、該内線５４’は該滑り止めカバー１６２の固定により固定端を形成しているため、該内線５４’は移動することはない。このように、該小収納溝４３が該内線５４’を引き出し（或いは収納）する時も、該箱本体１０中の内線５４’は移動する恐れはない。
【００１０】
続いて図３が示すように、該大、小回転輪４０、４５の巻き取り回転はバネ６０により達成される。該バネ６０内端６２は該固定軸３０上に固定され、外端６４は該側凹部４７中に固定されるため、該バネ６０の収縮作用により、該大、小回転輪４０、４５の反転を達成し、該外線５２を該大収納溝４１中において巻き取り収納する。緩んだ状態を呈する内線５４は反対方向に巻き取られ、きちんと巻き取られた状態を成す。このようにコードの収納は迅速に完了し、該端子プラグ５５も該導入孔２２の孔外縁において定位され、充電器のコード５０は該外ケース２０内部に収蔵される。該環状片７０は該バネ６０側片を覆蓋し、該バネ６０の移動を防止する。
【００１１】
さらに図５が示すように、該固定軸３０は該箱本体１０の外壁面１１内部において、上方へと延伸させることができる。これにより、該固定軸３０は該回路板１２及び該内壁面１６を通過し、該外ケース２０と相互に固接する。
図２、３が示すように、該ネジ２６は該外ケース２０の可動接続孔２４及び該固定軸３０のネジ孔３３に螺接するため、該固定軸３０が受ける力は強化される。
図４が示すように、該外線５２外端に接続する端子プラグ５５はプラグ或いはソケット等の様々な形式に実施することができ、各種形式の電器製品に適用可能である。該電源プラグ１４もまた円柱形式で実施することができ、自動車用電源ソケットに使用可能である。
図７が示すように、該外ケース２０と該箱本体１０は一体に連結後、該内壁面１６は非連続状に設計することができる。即ち、該内壁面１６を円環状とし、これによりその外周縁は該箱本体１０の側壁面に接続せず、該内壁面１６は該固定軸３０上に固定される。
【００１２】
【考案の効果】
上記のように、本考案はコードを効果的に箱本体内に収納し、充電器の使用、収蔵、包装の便利性を高めることができる。さらに、コードの引出し（引き出し）或いは巻き取り（収納）の過程においても、コード下端の導電接点は移動脱落する恐れがない。
【図面の簡単な説明】
【図１】本考案の立体分解図である。
【図２】本考案においてコードが箱体から引出される動作を示す断面図である。
【図３】本考案におけるコード収納動作を示す断面図である。
【図４】本考案に信号線プラグを実施する別種の実施例図である。
【図５】本考案の別種の実施例断面図である。
【図６】本考案の大、小回転輪がコードを収納する様子を示す指示図である。
【図７】本考案の別種の実施例断面図である。
【符号の説明】
１０　箱本体
１１　外壁面
１２　回路板
１４　電源プラグ
１６　内壁面
１６１　穿孔
１６２　滑り止めカバー
２０　外ケース
２２　導入孔
２４　可動接続孔
２６　ネジ
３０　固定軸
３２　係合溝
４７１　係合溝
３３　ネジ孔
４０　大回転輪
４１　大収納溝
４２　中心孔
７２　中心孔
４３　小収納溝
５５　挿入孔
４５　小回転輪
４６　係合固定凹溝
４７　側凹部
５０　コード
５２　外線
５４　内線
５４’　外線
５５　端子プラグ
６０　バネ
６２　内端
６４　外端
７０　環状片
７４　挿入ピン
Ｄ　直径
ｄ　直径
【図１】
0003097465.tif 000003
【図２】
0003097465.tif 000004
【図３】
0003097465.tif 000005
【図４】
0003097465.tif 000006
【図５】
0003097465.tif 000007
【図６】
0003097465.tif 000008
【図７】
0003097465.tif 000009